(57)【要約】【課題】  高域のコモンモードノイズを遮断する素子と、低域のコモンモードノイズをバイパスさせる素子を一体化したフィルタ素子を提供する。【解決手段】  環状コア１１０と、第１の巻芯部１１１に互いに同一方向に巻回された第１及び第２のコイル１２１，１２２と、第２の巻芯部１１２に互いに逆方向に巻回された第３及び第４のコイル１２３，１２４とを備える。第１のコイル１２１は、第１の入力端子１３１と第１の出力端子１４１とを接続し、第２のコイル１２２は、第２の入力端子１３２と第２の出力端子１４２とを接続する。第３のコイル１２３は、第１の入力端子１３１と第２のグランド端子１４３とを接続し、第４のコイル１２４は、第２の入力端子１３２と第２のグランド端子１４３とを接続する。【選択図】          図１
2007037034.tif 000002
【特許請求の範囲】
【請求項１】
対向配置された第１及び第２の巻芯部と対向配置された第１及び第２の端子部とを有する環状コアと、
前記第１の端子部に設けられた第１及び第２の入力端子と、
前記第２の端子部に設けられた第１及び第２の出力端子と、
前記第１及び第２の端子部の少なくとも一方に設けられたグランド端子と、
前記第１の巻芯部に一端から他端に向かって第１の方向に巻回され、前記一端が前記第１の入力端子に接続され、前記他端が前記第１の出力端子に接続された第１のコイルと、
前記第１の巻芯部に一端から他端に向かって前記第１の方向と同じ方向に巻回され、前記一端が前記第２の入力端子に接続され、前記他端が前記第２の出力端子に接続された第２のコイルと、
前記第２の巻芯部の第１の領域において一端から他端に向かって第２の方向に巻回され、前記一端が前記第１の入力端子に接続され、前記他端が前記グランド端子に接続された第３のコイルと、
前記第２の巻芯部の前記第１の領域とは異なる第２の領域において一端から他端に向かって前記第２の方向とは異なる方向に巻回され、前記一端が前記第２の入力端子に接続され、前記他端が前記グランド端子に接続された第４のコイルとを備えることを特徴とするフィルタ素子。
【請求項２】
前記第３のコイルの前記一端から前記他端に向かう巻回位置の移動方向と、前記第４のコイルの前記一端から前記他端に向かう巻回位置の移動方向とが同一方向であることを特徴とする請求項１に記載のフィルタ素子。
【請求項３】
対向配置された第１及び第２の巻芯部と対向配置された第１及び第２の端子部とを有する環状コアと、
前記第１の端子部に設けられた第１及び第２の入力端子と、
前記第２の端子部に設けられた第１及び第２の出力端子と、
前記第１及び第２の端子部の少なくとも一方に設けられたグランド端子と、
前記第１の巻芯部に一端から他端に向かって第１の方向に巻回され、前記一端が前記第１の入力端子に接続され、前記他端が前記第１の出力端子に接続された第１のコイルと、
前記第１の巻芯部に一端から他端に向かって前記第１の方向と同じ方向に巻回され、前記一端が前記第２の入力端子に接続され、前記他端が前記第２の出力端子に接続された第２のコイルと、
前記第２の巻芯部に一端から他端に向かって第２の方向に巻回され、前記一端が前記第１の入力端子に接続され、前記他端が前記グランド端子に接続された第３のコイルと、
前記第２の巻芯部に一端から他端に向かって、前記第３のコイルに平行に沿って前記第２の方向とは異なる方向に巻回され、前記一端が前記第２の入力端子に接続され、前記他端が前記グランド端子に接続された第４のコイルとを備えることを特徴とするフィルタ素子。
【発明の詳細な説明】
【技術分野】
【０００１】
本発明はフィルタ素子に関し、特に、コモンモードノイズの除去に用いることが好適なフィルタ素子に関する。
【背景技術】
【０００２】
近年、高速な信号伝送インターフェースとして、ＵＳＢ２．０規格やＩＥＥＥ１３９４規格が広く普及し、パーソナルコンピュータやデジタルカメラなど数多くのデジタル機器に用いられている。ＵＳＢ２．０規格やＩＥＥＥ１３９４規格などのインターフェースは、古くから一般的であったシングルエンド伝送方式とは異なり、一対の信号線を用いて差動信号を伝送する差動信号方式が採用されている。
【０００３】
差動伝送方式は、シングルエンド伝送方式と比べて信号線から発生する放射電磁界が少ないだけでなく、外来ノイズの影響を受けにくいという優れた特徴を有している。このため、信号の小振幅化が容易であり、小振幅化による立ち上がり時間及び立ち下がり時間の短縮によって、シングルエンド伝送方式よりも高速な信号伝送を行うことが可能となる。
【０００４】
図７は、一般的な差動伝送回路の回路図である。
【０００５】
図７に示す差動伝送回路は、一対の信号線１１，１２と、信号線１１，１２に差動信号を供給する出力バッファ１３と、信号線１１，１２からの差動信号を受ける入力バッファ１４とを備えている。かかる構成により、出力バッファ１３に与えられる入力信号ＩＮは、一対の信号線１１，１２を経由して入力バッファ１４へ伝えられ、出力信号ＯＵＴとして再生される。このような差動伝送回路は、上述の通り、信号線１１，１２から発生する放射電磁界が少ないという特徴を有しているが、信号線１１，１２に共通のノイズ（コモンモードノイズ）が重畳した場合には比較的大きな放射電磁界を発生させてしまう。コモンモードノイズによって発生する放射電磁界を低減するためには、図７に示すように、信号線１１，１２にコモンモードフィルタ２０を挿入することが有効である。
【０００６】
コモンモードフィルタ２０は、信号線１１，１２を伝わる差動成分（信号）に対するインピーダンスが低く、同相成分（コモンモードノイズ）に対するインピーダンスが高いという特性を有している。このため、信号線１１，１２にコモンモードフィルタ２０を挿入することにより、差動信号を実質的に減衰させることなく、一対の信号線１１，１２を伝わるコモンモードノイズを遮断することができる。コモンモードフィルタ２０としては、例えば特許文献１に記載された素子が知られている。
【特許文献１】特開２００３−１６８６１１号公報
【発明の開示】
【発明が解決しようとする課題】
【０００７】
しかしながら、コモンモードフィルタの同相成分に対するインピーダンスは、一般に、高域において高く、低域において低いという周波数特性があるため、低域のコモンモードノイズを十分に除去することができないという問題があった。このような問題を解決するためには、図８に示すように、低域のコモンモードノイズをバイパスさせるフィルタ素子３０を信号線１１，１２とグランド間に接続することが有効である。
【０００８】
このようなフィルタ素子３０としては、一般的なコモンモードフィルタを用いることができ、図８に示すように、通常は一対の入力端として用いられる端子電極３１，３２をそれぞれ信号線１１及びグランドに接続し、通常は一対の出力端として用いられる端子電極３３，３４をそれぞれグランド及び信号線１２に接続すればよい。これにより、フィルタ素子３０の同相成分に対する周波数特性は、コモンモードフィルタ２０の差動成分に対する周波数特性と同様となるため、低域において低いインピーダンスが得られる。つまり、低域のコモンモードノイズをグランドにバイパスすることができる。
【０００９】
一方、フィルタ素子３０の差動成分に対する周波数特性は、コモンモードフィルタ２０の同相成分に対する周波数特性と同様となるため、差動信号に対しては高いインピーダンスが得られる。このため、このようなフィルタ素子３０を追加すれば、差動信号に実質的な影響を与えることなく、コモンモードフィルタ２０の周波数特性を補完し、広域に亘ってコモンモードノイズを除去することが可能となる。
【００１０】
しかしながら、コモンモードフィルタ２０とフィルタ素子（コモンモードフィルタ）３０を別部品とすると、部品点数が増大するだけでなく、コモンモードフィルタ２０，３０を搭載する基板上の配線パターンが複雑となるおそれがあり、場合によっては、信号線１１，１２の対称性が崩れたり、基板上における配線パターンの占有面積が必要以上に増大するなどの問題が生じる可能性があった。
【００１１】
本発明は、このような問題を解決すべくなされたものであって、高域のコモンモードノイズを遮断する素子と、低域のコモンモードノイズをバイパスさせる素子を一体化したフィルタ素子を提供することを目的とする。
【課題を解決するための手段】
【００１２】
本発明の一側面によるフィルタ素子は、対向配置された第１及び第２の巻芯部と対向配置された第１及び第２の端子部とを有する環状コアと、第１の端子部に設けられた第１及び第２の入力端子と、第２の端子部に設けられた第１及び第２の出力端子と、第１及び第２の端子部の少なくとも一方に設けられたグランド端子と、第１の巻芯部に一端から他端に向かって第１の方向に巻回され、一端が第１の入力端子に接続され、他端が第１の出力端子に接続された第１のコイルと、第１の巻芯部に一端から他端に向かって第１の方向と同じ方向に巻回され、一端が第２の入力端子に接続され、他端が第２の出力端子に接続された第２のコイルと、第２の巻芯部の第１の領域において一端から他端に向かって第２の方向に巻回され、一端が第１の入力端子に接続され、他端がグランド端子に接続された第３のコイルと、第２の巻芯部の第１の領域とは異なる第２の領域において一端から他端に向かって第２の方向とは異なる方向に巻回され、一端が第２の入力端子に接続され、他端がグランド端子に接続された第４のコイルとを備えることを特徴とする。
【００１３】
このような構成によれば、第１の巻芯部に巻回された第１及び第２のコイルが高域のコモンモードノイズを遮断する役割を果たし、第２の巻芯部に巻回された第３及び第４のコイルが低域のコモンモードノイズをバイパスする役割を果たすことから、１個の素子によって広域に亘ってコモンモードノイズを除去することが可能となる。
【００１４】
さらに、第３のコイルと第４のコイルをそれぞれ第２の巻芯部の異なる領域に巻回していることから、製造時において、第３のコイルと第４のコイルをそれぞれ別個に巻回することができ、巻回作業の自由度を高めることも可能となる。
【００１５】
この場合、第３のコイルの一端から他端に向かう巻回位置の移動方向と、第４のコイルの一端から他端に向かう巻回位置の移動方向とが同一方向であることが好ましい。かかる構成によれば、第３のコイルの全長と第４のコイルの全長とを等しくすることが容易となることから、第３のコイルと第４のコイルの対称性を高めることが可能となる。
【００１６】
また、本発明の他の側面によるフィルタ素子は、対向配置された第１及び第２の巻芯部と対向配置された第１及び第２の端子部とを有する環状コアと、第１の端子部に設けられた第１及び第２の入力端子と、第２の端子部に設けられた第１及び第２の出力端子と、第１及び第２の端子部の少なくとも一方に設けられたグランド端子と、第１の巻芯部に一端から他端に向かって第１の方向に巻回され、一端が第１の入力端子に接続され、他端が第１の出力端子に接続された第１のコイルと、第１の巻芯部に一端から他端に向かって第１の方向と同じ方向に巻回され、一端が第２の入力端子に接続され、他端が第２の出力端子に接続された第２のコイルと、第２の巻芯部に一端から他端に向かって第２の方向に巻回され、一端が第１の入力端子に接続され、他端がグランド端子に接続された第３のコイルと、第２の巻芯部に一端から他端に向かって、第３のコイルに平行に沿って第２の方向とは異なる方向に巻回され、一端が第２の入力端子に接続され、他端がグランド端子に接続された第４のコイルとを備えることを特徴とする。
【００１７】
このような構成においても、第１の巻芯部に巻回された第１及び第２のコイルが高域のコモンモードノイズを遮断する役割を果たし、第２の巻芯部に巻回された第３及び第４のコイルが低域のコモンモードノイズをバイパスする役割を果たすことから、１個の素子によって広域に亘ってコモンモードノイズを除去することが可能となる。
【００１８】
さらに、本構成によれば、第１のコイルと第２のコイル、並びに、第３のコイルと第４のコイルをいずれもバイファイラ巻きすることができることから、製造時において巻回作業の効率を高めることも可能となる。また、バイファイラ巻きすることで、巻線の結合度を高め、伝送線路とグランド間のインピーダンスを下げることができ、分割巻きと比べてよりコモンモードノイズをグランドにバイパスさせることができる。
【００１９】
尚、本発明において、第１及び第２のコイルの巻回方向を規定する「第１の方向」と、第３及び第４のコイルの巻回方向を規定する「第２の方向」は、互いに同一の方向であっても構わないし、異なる方向であっても構わない。
【発明の効果】
【００２０】
このように、本発明によるフィルタ素子は、第１の巻芯部に巻回された第１及び第２のコイルが高域のコモンモードノイズを遮断する役割を果たし、第２の巻芯部に巻回された第３及び第４のコイルが低域のコモンモードノイズをバイパスする役割を果たすことから、１個の素子によって広域に亘るコモンモードノイズを除去することが可能となる。このため、部品点数を抑制することができるだけでなく、差動信号を伝送する一対の信号線の対称性の崩れや、基板上における配線パターンの占有面積の増大を効果的に防止することが可能となる。
【発明を実施するための最良の形態】
【００２１】
以下、添付図面を参照しながら、本発明の好ましい実施の形態について詳細に説明する。
【００２２】
［第１の実施形態］
【００２３】
図１は、本発明の好ましい第１の実施形態によるフィルタ素子１００の構造を示す略斜視図である。
【００２４】
図１に示すように、本実施形態によるフィルタ素子１００は、対向配置された第１及び第２の巻芯部１１１，１１２と対向配置された第１及び第２の端子部１１３，１１４とを有する環状コア１１０と、第１〜第４のコイル１２１〜１２４とを備えて構成されている。環状コア１１０の第１の端子部１１３には、第１の入力端子１３１、第２の入力端子１３２及び第１のグランド端子１３３が形成され、環状コア１１０の第２の端子部１１４には、第１の出力端子１４１、第２の出力端子１４２及び第２のグランド端子１４３が形成されている。環状コア１１０の材料については特に限定されないが、透磁率の高い材料、例えばフェライトなどを用いることが好ましい。
【００２５】
第１〜第４のコイル１２１〜１２４は、銅（Ｃｕ）などの導体の周囲を絶縁体でコーティングした配線部材である。第１及び第２のコイル１２１，１２２については環状コア１１０の第１の巻芯部１１１に巻回されており、第３及び第４のコイル１２３，１２４については環状コア１１０の第２の巻芯部１１２に巻回されている。
【００２６】
第１のコイル１２１は、その一端１２１ａが第１の入力端子１３１に接続され、他端１２１ｂが第１の出力端子１４１に接続されている。一方、第２のコイル１２２は、その一端１２２ａが第２の入力端子１３２に接続され、他端１２２ｂが第１の出力端子１４２に接続されている。さらに、図１に示す矢印Ａから見た場合、第１及び第２のコイル１２１，１２２は、いずれも一端１２１ａ，１２２ａから他端１２１ｂ，１２２ｂに向かって左回り（反時計回り）に巻回されている。換言すれば、第１の入力端子１３１を始点とした第１のコイル１２１の巻回方向と、第２の入力端子１３２を始点とした第２のコイル１２１の巻回方向は、互いに同一方向である。
【００２７】
尚、第１及び第２のコイル１２１，１２２の巻回方向については、互いに同一である限りその方向については特に限定されず、したがって、両者とも右回り（時計回り）であっても構わない。
【００２８】
一方、第３のコイル１２３は、その一端１２３ａが第１の入力端子１３１に接続され、他端１２３ｂが第２のグランド端子１４３に接続されている。また、第４のコイル１２４は、その一端１２４ａが第２の入力端子１３２に接続され、他端１２４ｂが第２のグランド端子１４３に接続されている。さらに、図１に示す矢印Ａから見た場合、第３のコイル１２３は一端１２３ａから他端１２３ｂに向かって左回り（反時計回り）に巻回されている一方、第４のコイル１２４は一端１２４ａから他端１２４ｂに向かって右回り（時計回り）に巻回されている。換言すれば、第１の入力端子１３１を始点とした第３のコイル１２３の巻回方向と、第２の入力端子１３２を始点とした第４のコイル１２４の巻回方向は、互いに逆方向である。
【００２９】
尚、第３及び第４のコイル１２３，１２４の巻回方向については、互いに逆方向である限りその方向については特に限定されず、したがって上記とは逆、すなわち、第３のコイルが右回り（時計回り）であり、第４のコイルが左回り（反時計回り）であっても構わない。また、第１及び第２のコイル１２１，１２２の巻回方向と、第３又は第４のコイル１２３，１２４の巻回方向との関係についても特に限定されるものではない。
【００３０】
さらに、第３及び第４のコイル１２３，１２４の他端１２３ｂ，１２４ｂについては、第１及び第２のグランド端子１３３，１４３のいずれか一方に接続されていれば足りる。
【００３１】
図１に示すように、第３のコイル１２３は、第２の巻芯部１１２の第１の領域１１２ａに巻回されており、第４のコイル１２４は、第２の巻芯部１１２の第２の領域１１２ｂに巻回されている。第２の巻芯部１１２の第１の領域１１２ａは、第２の巻芯部１１２の軸方向中心部１１２ｃからみて第１の端子部１１３側（図１では紙面の左側）に位置する領域であり、逆に、第２の巻芯部１１２の第２の領域１１２ｂは、上記中心部１１２ｃからみて第２の端子部１１４側（図１では紙面の右側）に位置する領域である。このように、本実施形態では、第３及び第４のコイル１２３，１２４が互いに異なる領域に巻回されている。尚、第１の領域１１２ａと第２の領域１１２ｂとの位置関係が上記の位置関係に限定されるものではなく、これと逆であっても構わない。
【００３２】
本実施形態においては、第１〜第４のコイル１２１〜１２４の巻数はいずれも４回である。もちろん、本発明において第１〜第４のコイル１２１〜１２４の巻数はこれに限定されず、何回であっても構わない。但し、第１及び第２のコイル１２１，１２２の対称性や、第３及び第４のコイル１２３，１２４の対称性を保つためには、第１のコイル１２１の巻数と第２のコイル１２２の巻数については同一とし、第３のコイル１２３の巻数と第４のコイル１２４の巻数については同一とする必要がある。
【００３３】
図２は、本実施形態によるフィルタ素子１００の等価回路図である。
【００３４】
図２に示すように、本実施形態によるフィルタ素子１００は、第１及び第２のフィルタ回路部分Ｆ１，Ｆ２が一体化された素子を構成する。第１のフィルタ回路部分Ｆ１は第１及び第２の入力端子１３１，１３２（入力端子対）と第１及び第２の出力端子１４１，１４２（出力端子対）との間に挿入され、第２のフィルタ回路部分Ｆ２は入力端子対１３１，１３２とグランド端子１３３，１４３との間に挿入される。
【００３５】
ここで、第１のフィルタ回路部分Ｆ１は、入力端子対１３１，１３２を始点とした２つのコイル（第１及び第２のコイル１２１，１２２）の巻回方向が同一であることから、差動成分に対するインピーダンスが低く、逆に、同相成分に対するインピーダンスが高いという特性を示す。一方、第２のフィルタ回路部分Ｆ２は、入力端子対１３１，１３２を始点とした２つのコイル（第３及び第４のコイル１２３，１２４）の巻回方向が互いに逆方向であることから、差動成分に対するインピーダンスが高く、逆に、同相成分に対するインピーダンスが低いという特性を示す。
【００３６】
このため、フィルタ素子１００の使用形態を示す図３のように、出力バッファ１３を用いて、入力側となる一対の信号線１１ａ，１２ａから出力側となる一対の信号線１１ｂ，１２ｂへ差動信号を伝送すると、差動信号に重畳しているコモンモードノイズが第１のフィルタ回路部分Ｆ１にて遮断され、或いは、第２のフィルタ回路部分Ｆ２にてグランドへバイパスされる。これにより、コモンモードノイズは入力バッファ１４へ伝わることなく除去される。
【００３７】
しかも、第１のフィルタ回路部分Ｆ１は、周波数が高くなるほど同相成分に対するインピーダンスが高くなるという周波数特性を有している一方、第２のフィルタ回路部分Ｆ２は、周波数が低くなるほど同相成分に対するインピーダンスが低くなるという周波数特性を有していることから、高域のコモンモードノイズについては第１のフィルタ回路部分Ｆ１によって遮断され、低域のコモンモードノイズについては第２のフィルタ回路部分Ｆ２によってバイパスされることになり、広域に亘ってコモンモードノイズを効果的に除去することが可能となる。
【００３８】
図３に示す回路図は、回路的には図８に示した回路図と実質的に同一であるが、第１及び第２のフィルタ回路部分Ｆ１，Ｆ２が一体化されていることから、部品点数を削減することが可能となる。
【００３９】
しかも、図１を用いて説明したように、入力端子対１３１，１３２がいずれも第１の端子部１１３に配置され、出力端子対１４１，１４２がいずれも第２の端子部１１４に設けられていることから、図４に示すように、基板１９０上において一対の信号線１１ａ，１２ａ及び一対の信号線１１ｂ，１２ｂをいずれも平行に敷設することができ、基板１９０上における配線パターンの迂回などが不要となる。このため、基板１９０上における配線パターンの占有面積が必要以上に増大することがなく、しかも、高い対称性を確保することが可能となる。これにより、装置全体の小型化と信号品質の向上を両立させることが可能となる。
【００４０】
また、本実施形態では、第３のコイル１２３と第４のコイル１２４をそれぞれ第２の巻芯部１１２の異なる領域１１２ａ、１１２ｂに巻回していることから、製造時において、第３のコイル１２３と第４のコイル１２４をそれぞれ別個に巻回することができる。これにより、巻回作業の自由度を高めることも可能となる。
【００４１】
さらに、本実施形態によるフィルタ素子１００では、第３のコイル１２３及び第４のコイル１２４とも、一端１２３ａ，１２４ａから他端１２３ｂ，１２４ｂに向かうに連れて、巻回位置が図１に示す矢印ａの方向へと移動するように巻回されている。このような巻回方式によれば、第３のコイル１２３の全長と第４のコイル１２４の全長とを等しくすることが容易となることから、第３のコイル１２３と第４のコイル１２４の対称性を高めることが可能となり、信号品質の向上に寄与する。
【００４２】
但し、本発明において上記の巻回方式を採用することは必須でなく、図５に示すように、第３のコイル１２３については、一端１２３ａから他端１２３ｂに向かうに連れて、巻回位置が図５に示す矢印ａの方向へと移動するように巻回し、第４のコイル１２４については、一端１２４ａから他端１２４ｂに向かうに連れて、巻回位置が図５に示す矢印ｂの方向へと移動するように巻回しても構わない。
【００４３】
［第２の実施形態］
【００４４】
図６は、本発明の好ましい第２の実施形態によるフィルタ素子２００の構造を示す略斜視図である。
【００４５】
本実施形態によるフィルタ素子２００は、第３のコイル１２３と第４のコイル１２４の巻回方式において上記実施形態によるフィルタ素子１００と異なっている。その他の点については、上記実施形態によるフィルタ素子１００と同様であることから、同一の要素には同一の符号を付し、重複する説明は省略する。
【００４６】
図６に示すように、本実施形態によるフィルタ素子２００では、第３のコイル１２３と第４のコイル１２４がそれぞれ異なる領域に巻回されているのではなく、同一領域においていわゆるバイファイラ巻きされている。つまり、第３のコイル１２３と第４のコイル１２４は、互いに沿って、平行に巻回されている。また、第３のコイル１２３の一端１２３ａは第１の入力端子１３１に接続され、他端は１２３ｂは第２のグランド端子１４３に接続されている。さらに、第４のコイル１２４の一端１２４ａは第２の入力端子１３２に接続され、他端は１２４ｂは第１のグランド端子１３３に接続されている。
【００４７】
このため、図６に示す矢印Ａから見た場合、第３のコイル１２３の巻回方向は、一端１２３ａから他端１２３ｂに向かって左回り（反時計回り）、第４のコイル１２４の巻回方向は、一端１２４ａから他端１２４ｂに向かって右回り（時計回り）となり、互いに逆方向となる。つまり、上記実施形態によるフィルタ素子１００と同様である。
【００４８】
したがって、本実施形態によるフィルタ素子２００は、回路的には上記実施形態によるフィルタ素子１００と同様の機能を有することになる。しかしながら、本実施形態によるフィルタ素子２００は、製造時において第３のコイル１２３と第４のコイル１２４を一緒に巻回することができることから、上記実施形態によるフィルタ素子１００に比べ、巻回作業の効率を高めることが可能となる。
【００４９】
また、本実施形態においても、第３のコイル１２３の巻数及び第４のコイル１２４の巻数はいずれも４回であり、これにより、第３及び第４のコイル１２３，１２４の対称性が保たれている。
【００５０】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００５１】
例えば、第３及び第４のコイル１２３，１２４の他端１２３ｂ，１２４ｂについては、既に説明したとおり、第１及び第２のグランド端子１３３，１４３のいずれか一方に接続されていれば足りることから、例えば、図１に示したフィルタ素子１００のように、第１のグランド端子１３３を使用しない場合には、これを省略しても構わない。
【図面の簡単な説明】
【００５２】
【図１】本発明の好ましい第１の実施形態によるフィルタ素子１００の構造を示す略斜視図である。
【図２】フィルタ素子１００の等価回路図である。
【図３】フィルタ素子１００の使用形態を示す回路図である。
【図４】フィルタ素子１００を用いた場合における、基板上の配線パターンを説明するための図である。
【図５】フィルタ素子１００の変形例を示す略斜視図である。
【図６】本発明の好ましい第２の実施形態によるフィルタ素子２００の構造を示す略斜視図である。
【図７】一般的な差動伝送回路の回路図である。
【図８】図７の回路に低域のコモンモードノイズをバイパスさせるフィルタ素子３０を追加した図である。
【符号の説明】
【００５３】
１１ａ，１１ｂ，１２ａ，１２ｂ      信号線
１３        出力バッファ
１４        入力バッファ
１００，２００    フィルタ素子
１１０      環状コア
１１１      第１の巻芯部
１１２      第２の巻芯部
１１２ａ    第１の領域
１１２ｂ    第２の領域
１１２ｃ    第２の巻芯部の軸方向における中心部
１１３      第１の端子部
１１４      第２の端子部
１２１      第１のコイル
１２１ａ    第１のコイルの一端
１２１ｂ    第１のコイルの他端
１２２      第２のコイル
１２２ａ    第２のコイルの一端
１２２ｂ    第２のコイルの他端
１２３      第３のコイル
１２３ａ    第３のコイルの一端
１２３ｂ    第３のコイルの他端
１２４      第４のコイル
１２４ａ    第４のコイルの一端
１２４ｂ    第４のコイルの他端
１３１      第１の入力端子
１３２      第２の入力端子
１３３      第１のグランド端子
１４１      第１の出力端子
１４２      第２の出力端子
１４３      第２のグランド端子
１９０      基板
【図１】
2007037034.tif 000003
【図２】
2007037034.tif 000004
【図３】
2007037034.tif 000005
【図４】
2007037034.tif 000006
【図５】
2007037034.tif 000007
【図６】
2007037034.tif 000008
【図７】
2007037034.tif 000009
【図８】
2007037034.tif 000010